(57)【特許請求の範囲】
【請求項１】
海から冷却水用の海水を取水口に導く取水路において、該取水路を形成する両側壁の間隔に比べて十分に長い延べ長さを有する回収網を、その両端をそれぞれ両側壁に固定するとともに、回収網の上端縁を複数のフロートに取付けて、これらフロートに回収網を吊り下げて取水路断面の大部分の領域に展開し、上記両側壁間に設置したワイヤに、回収網の延べ長さのほぼ中心位置において回収網の上端縁の少なくとも１箇所を固定し、この固定点をワイヤの駆動によって上記両側壁のいずれか一方側に移動して回収網を両側壁間に張り渡し、取水路に流入する異物を回収網に捕獲したのち、固定点を両側壁のいずれか他方側に移動して異物が捕獲された回収網部分を両側壁のいずれか他方側に絞り込むとともに、残る回収網部分を両側壁間に張り渡して新たに流入する異物の捕獲を行い、絞り込んだ回収網内の捕獲異物を両側壁のいずれか他方側から回収することを特徴とする取水路への異物流入防止方法。
【請求項２】
請求項１において、回収網の取水路入側の海底から噴出させた気泡によって、異物を海面付近に上昇させることを特徴とする取水路への異物流入防止方法。
【請求項３】
請求項１または２において、絞り込んだ回収網内の捕獲異物に含まれるくらげを、フィッシュポンプにて取水経路外の海に生きたまま搬送することを特徴とする取水路への異物流入防止方法。
【請求項４】
海から冷却水用の海水を取水口に導く取水路の両側壁に、この両側壁間の間隔に比べて十分に長い延べ長さを有する回収網の両端をそれぞれ固定し、該回収網の上端縁を複数のフロートに取付け、回収網をフロートに吊り下げて取水路断面の大部分の領域に展開し、上記両側壁間に設置した駆動ワイヤに、回収網の延べ長さのほぼ中心位置において、回収網の上端縁の少なくとも１箇所を固定して成る取水路への異物流入防止装置。
【発明の詳細な説明】
【０００１】
【産業上の利用分野】
この発明は、原子力発電所および火力発電所等のように、多量の海水を冷却水として利用している施設の取水口に至る取水路に、くらげ等の浮遊異物が流入するのを未然に防止する取水路への異物流入防止方法およびその装置に関するものである。
【０００２】
【従来の技術】
現在、原子力発電所および火力発電所等においては、冷却水として利用するために多量の海水を取水している。この海水の取水口よりくらげ等の浮遊異物が流入するのを防止するため、取水口の手前に、例えばトラベルスクリーンを配置し、海水面上または海水中の異物を、輪転移動するスクリーンに捕獲し、これをスクリーンとともに地上まで引き上げて回収している。回収した異物はくらげが主であり、施設内に埋めたり、産業廃棄物として処理されている。
【０００３】
【発明が解決しようとする課題】
しかし、くらげが大量発生したり、潮の流れによって大量のくらげが流入した場合などには、スクリーンが容易に目詰まりし、取水が阻害される。また、大量のくらげを廃棄物として処理しなくてはならないため、環境に与える影響も考慮しなくてはならず、処理費用が嵩むことも問題であった。
【０００４】
かような問題を解消するには、取水口にて回収する異物の量を減少することが有利であり、取水口に至る取水路において異物の流入を防止することが有利である。従って、この発明は、取水路における異物の流入を防止する方法について提案すること、並びにこの方法に有利に適合する装置を提供すること、を目的とするものである。
【０００５】
【課題を解決するための手段】
すなわち、この発明の要旨構成は、次のとおりである。
(1) 海から冷却水用の海水を取水口に導く取水路において、該取水路を形成する両側壁の間隔に比べて十分に長い延べ長さを有する回収網を、その両端をそれぞれ両側壁に固定するとともに、回収網の上端縁を複数のフロートに取付けて、これらフロートに回収網を吊り下げて取水路断面の大部分の領域に展開し、上記両側壁間に設置したワイヤに、回収網の延べ長さのほぼ中心位置において回収網の上端縁の少なくとも１箇所を固定し、この固定点をワイヤの駆動によって上記両側壁のいずれか一方側に移動して回収網を両側壁間に張り渡し、取水路に流入する異物を回収網に捕獲したのち、固定点を両側壁のいずれか他方側に移動して異物が捕獲された回収網部分を両側壁のいずれか他方側に絞り込むとともに、残る回収網部分を両側壁間に張り渡して新たに流入する異物の捕獲を行い、絞り込んだ回収網内の捕獲異物を両側壁のいずれか他方側から回収することを特徴とする取水路への異物流入防止方法。
【０００６】
(2) 上記(1) において、回収網の取水路入側の海底から噴出させた気泡によって、異物を海面付近に上昇させることを特徴とする取水路への異物流入防止方法。
【０００７】
(3) 上記(1) または(2) において、絞り込んだ回収網内の捕獲異物に含まれるくらげを、フィッシュポンプにて取水経路外の海に生きたまま搬送することを特徴とする取水路への異物流入防止方法。
【０００８】
(4) 海から冷却水用の海水を取水口に導く取水路の両側壁に、この両側壁間の間隔に比べて十分に長い延べ長さを有する回収網の両端をそれぞれ固定し、該回収網の上端縁を複数のフロートに取付け、回収網をフロートに吊り下げて取水路断面の大部分の領域に展開し、上記両側壁間に設置した駆動ワイヤに、回収網の延べ長さのほぼ中心位置において、回収網の上端縁の少なくとも１箇所を固定して成る取水路への異物流入防止装置。
【０００９】
【発明の実施の形態】
次に、この発明の方法について、図面を参照して詳しく説明する。
まず、海水の取水口１のある岸壁２から前方に向けて突き出して設けた取水路２に、この発明の異物流入防止方法を適用した場合について、図１を参照して説明する。取水路３は、岸壁２から海洋に向けて突出して設けた側壁４ａおよび４ｂ間に区画され、海洋側の立杭３ａと３ａとの間から海水を導入するためのものである。
【００１０】
この取水路３の海洋側において、取水路３を区画する側壁４ａおよび４ｂ間に、両側壁４ａおよび４ｂの間隔ｔに比べて十分に長い延べ長さ、好ましくは間隔ｔの２倍超の延べ長さを有する回収網５の両端をそれぞれ側壁４ａおよび４ｂに固定し、取水路３に回収網５を張り渡す。
【００１１】
この回収網５は、その上端縁５ａを複数のフロート６に取付けて、これらフロート６に回収網５を吊り下げる形で、図２に図１のII−II線に沿う断面を示すように、取水路３断面の大部分の領域、つまり海面から海底近くまでの領域に展開し、取水路３に流入してくる異物（主にくらげ）７を捕獲するものである。なお、回収網５の下端縁には沈子鉛８を取り付けて回収網５の展開を図ることが好ましい。
【００１２】
また、上記側壁４ａおよび４ｂのそれぞれに設置したウインチ８ａおよび８ｂの間には、駆動ワイヤ９を張り渡してあり、駆動ワイヤ９はウインチ８ａおよび８ｂのいずれかを作動することによって、その軸方向に移動可能である。この駆動ワイヤ９には、回収網５の延べ長さのほぼ中心位置において回収網５の上端縁５ａの少なくとも１箇所、図示例では固定点５ｂで固定し、駆動ワイヤ９によって固定点５ｂを駆動ワイヤ９の軸方向に移動可能とする。
【００１３】
この固定点５ｂは、駆動ワイヤ９によって、上記側壁４ａおよび４ｂのいずれか一方側、図１の場合は側壁４ｂ側に移動して回収網５を両側壁４ａおよび４ｂ間に張り渡しておく。このとき、両側壁間に張り渡した以外の回収網５の部分は、絞られた状態にて側壁４ｂ脇に収容しておく。この状態において、取水路３に流入してくる異物７を回収網５の展開部分で捕獲する。
【００１４】
次いで、異物７が回収網５の展開部分にて一定期間の捕獲を行った後、または同捕獲量が一定量に達した後、固定点５ｂを駆動ワイヤ９によって上記側壁４ａ側に移動し、回収網５の絞られた状態にあった部分を両側壁４ａおよび４ｂ間に張り渡す。同時に、回収網５の展開していた部分に先端が固定された引張ワイヤ１０ａを、岸壁２側に設けたウィンチ１１ａにて手繰りよせることによって、図３に示すように、回収網５の展開していた部分を側壁４ａに沿って絞り込む。そして、絞り込まれた回収網５部分に捕獲された異物７は、側壁４ａに設置したポンプ１２から海中に延ばした回収ホース１３を介して、回収網５内から回収される。ここで、捕獲される異物７は主にくらげであるから、ポンプ１２に、いわゆるフィッシュポンプを用いることによって、くらげを生きたまま回収し、そのまま取水経路外の外洋側へと放出することが有利である。
【００１５】
さらに、図３に示す状態にて、異物７の捕獲を一定期間または一定捕獲量となるまで行ったならば、固定点５ｂを駆動ワイヤ９によって上記側壁４ｂ側に移動し、回収網５の絞られた状態にあった部分を両側壁４ａおよび４ｂ間に張り渡すとともに、回収網５の展開していた部分に先端が固定された引張ワイヤ１０ｂを、岸壁２側に設けたウィンチ１１ｂにて手繰りよせることによって、回収網５の展開していた部分を側壁４ｂ沿って絞り込み、再び図１に示した状態とする。
【００１６】
以上の操作を繰り返すことによって、回収網５の半部分を両側壁４ａおよび４ｂ間に交互に張り渡し、残る絞り込み部分で捕獲した異物７の回収を行って、常時回収網５の張り渡し状態を維持する。
【００１７】
ここで、回収網５の入り側において、図４に示すように、海底に空気の噴射ノズル１４を設置し、この噴射ノズル１４から空気を噴射して気泡を海面上へ浮上させる過程において、くらげなどの異物７を上昇させて、回収網５で確実に捕獲することが好ましい。
【００１８】
また、図５に示すように、回収網５の両端部および固定点５ｂに、海面から海底に向かって延びる中空パイプ１５をそれぞれ配置し、これら中空パイプ１５の両端にそれぞれ回収網５の上端部と下端部とを固定することによって、回収網５に異物７を回収した後の網の下流側への膨らみを抑制し、回収網の展開範囲を縮小させないことが、有利である。
【００１９】
なお、この発明の適用は、図１に示した取水路に限定されるわけではなく、例えば、図６に示すように、取水路となる人工の湾２０の湾口２１においても、上記と同様にこの発明を適用できる。すなわち、図６に示すように、取水口１の海側に構築した人工の湾２０の湾口２１に跨がって回収網５および駆動ワイヤ９を張り渡して設置する。この駆動ワイヤ９には、上記したように、回収網５の延べ長さの中心位置にて固定し、この固定点５ｂを駆動ワイヤ９にて湾口２１の一方側に移動し、回収網５の半部を展開して、異物７の捕獲を行う。
【００２０】
次いで、異物７が回収網５の展開部分にて一定期間の捕獲を行った後、または同捕獲量が一定量に達した後、固定点５ｂを駆動ワイヤ９によって湾口２１の他方側に移動し、回収網５の絞られた状態にあった部分を湾口２１に張り渡す。同時に、回収網５の展開していた部分に先端が固定された引張ワイヤ１０ａを、湾口２１の一方側に設けたウィンチ１１ａにて手繰りよせることによって、図７に示すように、回収網５の展開していた部分を、湾を構成する側壁に沿って絞り込む。そして、絞り込まれた回収網５部分に捕獲された異物７は、ポンプ１２から海中に延ばした回収ホース１３を介して、回収網５内から回収される。ここで、捕獲される異物７は主にくらげであるから、ポンプ１２に、いわゆるフィッシュポンプを用いることによって、くらげを生きたまま回収し、そのまま取水経路外の外洋側へと放出することが有利である。
【００２１】
さらに、図７に示す状態にて、異物７の捕獲を一定期間または一定捕獲量となるまで行ったならば、固定点５ｂを駆動ワイヤ９によって湾口２１の他方側に移動し、回収網５の絞られた状態にあった部分を湾口２１に張り渡すとともに、回収網５の展開していた部分に先端が固定された引張ワイヤ１０ｂを、湾口２１の他方側に設けたウィンチ１１ｂにて手繰りよせることによって、回収網５の展開していた部分を湾を構成する側壁に沿って絞り込み、再び図６に示した状態とする。
【００２２】
なお、上記した例では、回収した異物７、主にくらげを生きたまま海に放出する態様を示したが、回収ホース１３を別途に設置した処理場に導き、異物を選別後に、その異物に応じた廃棄処理を行うことも可能である。
【００２３】
【発明の効果】
この発明によれば、取水路へ流入する異物を展開した回収網にて捕獲したのち、回収網の展開状態を解除することなく、捕獲した異物の回収を行うことができるから、取水路への異物の流入を確実に防止することができる。
【図面の簡単な説明】
【図１】  この発明の異物流入防止装置を示す図である。
【図２】  図１のII−II線に沿う断面図である。
【図３】  この発明の異物流入防止装置における回収網の動作を説明する図である。
【図４】  異物を海面側へ浮上させる手法を示す説明図である。
【図５】  回収網の展開を補助する手段を示す説明図である。
【図６】  この発明の異物流入防止装置の別の適用例を示す図である。
【図７】  図６のの異物流入防止装置における回収網の動作を説明する図である。
【符号の説明】
１  取水口
２  岸壁
３  取水路
４ａ，４ｂ  側壁
５  回収網
６  フロート
７  異物
８ａ，８ｂ  ウィンチ
９  駆動ワイヤ
１０ａ，１０ｂ  引張ワイヤ
１１ａ，１１ｂ  ウィンチ
【図１】
0004527855.tif 000002
【図２】
0004527855.tif 000003
【図３】
0004527855.tif 000004
【図４】
0004527855.tif 000005
【図５】
0004527855.tif 000006
【図６】
0004527855.tif 000007
【図７】
0004527855.tif 000008